(57)【特許請求の範囲】
【請求項１】
車輌内に設置され、外部から取得する情報または車輌内に保持してある情報を含む提供可能な情報類の中から、必要な情報を取捨選択して、使用者らにサービス情報として提供するサービス情報提供手段を備える車載装置であって、
前記車載装置の使用者らがそれまで前記サービス情報を利用してきた履歴情報であるサービス利用履歴情報と、前記車輌の状態に関わる情報である車輌情報と、を含む情報を、記録保持する手段を備え、
前記サービス情報提供手段は、前記サービス利用履歴情報と前記車輌情報とに基づいて提供するサービス情報の取捨選択を行い、
前記サービス利用履歴情報は、(１)前記車載装置を通して視聴されるテレビ番組・ラジオ番組・データ放送・広告宣伝情報のいずれかの利用状況の利用履歴、(２)前記車輌内で使用されるＤＶＤ・ＣＤ・ＭＤのいずれかの利用状況の利用履歴、(３)カーナビまたはその関連データの使用状況に関する利用履歴、のうちのいずれかの利用履歴の情報を含んで構成され、
前記車輌情報は、給油状況・車検期間状況・累積走行距離・累積走行時間・累積経過時間・運転免許証更新時期・新車関連情報のいずれかの情報を含んで構成される、ことを特徴とする車載装置。
【請求項２】
請求項１に記載の車載装置において、
前記サービス利用履歴情報と前記車輌情報とは、車載装置が備える不揮発性記録媒体に保持されているか、または、他の外部機器を経由して取得されて保持されるか、により得られる、ことを特徴とする車載装置。
【請求項３】
請求項１または２に記載の車載装置において、
前記サービス情報提供手段は、使用者らに提供するサービス情報の優先度を動的に算出する優先算出手段を備えることを特徴とする車載装置。
【請求項４】
請求項３に記載の車載装置において、
前記優先算出手段の実行するにあたり、その結果を含むデータ類は、車載装置内に記録保持され利用されることを特徴とする車載装置。
【請求項５】
請求項１〜４いずれかの車載装置において、
前記サービス情報提供手段を実行するにあたり、時刻・時間に関する情報が利用されることを特徴とする車載装置。
【請求項６】
請求項１〜５いずれかの車載装置において、
前記サービス情報提供手段を実行するにあたり、映像出力または音声出力を含んで提供されることを特徴とする車載装置。
【発明の詳細な説明】
【０００１】
【発明の属する技術分野】
本発明は、車輌内に設置されて使用されるカーオーディオ機器やカーナビゲーション機器などのような車輌搭載型電子装置すなわち車載装置にかかり、より詳細には、車輌外部または内部にある情報の中から必要な情報を選び出して、使用者らにサービス情報として提供する手段を備える車載装置に関するものである。
【０００２】
【従来の技術】
近年では、ＩＴＳ(高度道路交通システム)の本格的な導入・光ディスクの普及やデジタル放送などの発展に伴ない、車載装置が受け取って処理すべき情報の量は増加する一途を辿っている。
ところが、多量のデータが送信可能になっても、映像出力や音声出力などを利用した車載型の電子機器類においては、提示できる情報量には限りがある。
そして、サービス提供者が、データ放送や広告宣伝番組などにより情報提示をする場合にあって、潜在的顧客が必要とする情報を他の情報の中から抜き出すように、欲しいものを的確に提示する必要性が大いに増してきている。
【０００３】
車輌に搭載されるカーナビゲーション機器や車載用ＴＶ機器などにより、放送番組などを視聴した場合でも、据え付け型のＴＶと同等のサービス提示(広告宣伝)がなされる。
ところが、車輌に乗っている者(車輌内の使用者ら)にとって求める情報は一様ではなく、使用している車種や車輌の使用状況に応じても、サービス情報に対する潜在的な需要は変動するものである。車輌の使用状況に関する情報の例としては、例えば給油・車検・新車情報などが挙げられる。
このようなその潜在的な需要の変動を考慮せずにサービス情報の提供を行うことは、サービス提供者にとって無駄が多く非効率的な作業であると云える。
【０００４】
図２は、従来の車載装置におけるサービス情報提供にかかるシステム構成を示す図である。図２において、この車載装置に入力されるサービス情報は、装置内にあるサービス情報選択演算部３０に受け入れられ、ここでデータが活用され選択演算が行われ、外部に情報提供されるような装置構成となっている。
ところで、従来の車載機器で使用されるサービス情報としては、使用者のサービス利用履歴を主とした情報データであって、これらは、サービス情報入力部５０からサービス利用履歴データベース４０に取り込まれ装置内で記憶保存されている。サービス情報選択演算部３０では、このサービス利用履歴データベース４０のデータを必要に応じて随時取り出して利用することができる。
そして、サービス情報選択演算部３０でデータ処理された情報は、サービス情報生成部２０を経由して出力され、サービス表示部１０において使用者らのためにサービス情報の表示を行う。
【０００５】
【発明が解決しようとする課題】
しかしながら従来の車載装置によると、装置に入力されるサービス情報は、使用者のサービス情報利用履歴のデータを主体とするものであるため、このデータを基にして使用者に提供する情報内容が、そのお客に合っているのかどうかは疑問であった。また、車載装置で提供する情報の量は限られたものとなるので、大量の情報をなんでも提供するという訳には行かず、そして、サービス情報に対する潜在的な需要は絶えず変動するものであるので、使用者らが求めている情報を的確に提供しているのかどうか、さらに、使用者らの個人的なデータが充分そこに反映されているかどうか、などの見地からみて、従来の車載装置における情報サービスはまだまだ不充分であるといわざるを得ない、という問題点があった。
【０００６】
本発明による車載装置は上記の点に鑑みなされたものであり、その車輌及び車載装置を用いて生活している使用者らの様々な嗜好やそれぞれの環境状態等を充分に反映した情報の入手を可能とし、その使用者らそれぞれが求めているサービス情報を的確に提示できる機能を備えた車載装置を提供することを目的とする。
【０００７】
【課題を解決するための手段】
前記課題を解決し、所望の目的を達成するために、本発明による車載装置は、以下のように構成されるものである。
（１）車輌内に設置され、外部から取得する情報または車輌内に保持してある情報を含む提供可能な情報類の中から、必要な情報を取捨選択して、使用者らにサービス情報として提供するサービス情報提供手段を備える車載装置であって、
前記車載装置の使用者らがそれまで前記サービス情報を利用してきた履歴情報であるサービス利用履歴情報と、前記車輌の状態に関わる情報である車輌情報と、を含む情報を、記録保持する手段を備え、
前記サービス情報提供手段は、前記サービス利用履歴情報と前記車輌情報とに基づいて、提供するサービス情報の取捨選択を行い、
前記サービス利用履歴情報は、(１)前記車載装置を通して視聴されるテレビ番組・ラジオ番組・データ放送・広告宣伝情報のいずれかの利用状況の利用履歴、(２)前記車輌内で使用されるＤＶＤ・ＣＤ・ＭＤのいずれかの利用状況の利用履歴、(３)カーナビまたはその関連データの使用状況に関する利用履歴、のうちのいずれかの利用履歴の情報を含んで構成され、
前記車輌情報は、給油状況・車検期間状況・累積走行距離・累積走行時間・累積経過時間・運転免許証更新時期・新車関連情報のいずれかの情報類を含んで構成される、車載装置とした。
【０００８】
（２）(１)の車載装置において、前記サービス利用履歴情報と前記車輌情報とは、車載装置が備える不揮発性記録媒体に保持されているか、または、他の外部機器を経由して取得されて保持されるか、により、得られる。
（３）(１)または(２)の車載装置において、
前記サービス情報提供手段は、使用者らに提供するサービス情報の優先度を動的に算出する優先算出手段を備える。
【０００９】
（４）(３)の車載装置において、
前記優先算出手段の実行するにあたり、その結果を含むデータ類は、車載装置内に記録保持され利用される。
（５）(１)〜(４)のいずれかの車載装置において、
前記サービス情報提供手段を実行するにあたり、時刻・時間に関する情報が利用される。
（６）(１)〜(５)のいずれかの車載装置において、
前記サービス情報提供手段を実行するにあたり、映像出力または音声出力を含んで提供される。
【００１０】
【発明の実施の形態】
次に図１を参照して、本発明による車載装置の実施の形態について詳細に説明する。本発明による車載装置では、車載機器の使用者らがそれまでサービス情報を利用してきた履歴情報であるサービス利用履歴情報を備え、この他の情報として、車輌の状態に関わる情報である車輌情報を含む情報を備え、これらを記録保持する手段を備えている。そして、これらのサービス利用履歴情報と車輌情報とに基づいて、提供するサービス情報の取捨選択を行うよう構成される車載装置としている。
【００１１】
このサービス利用履歴情報は、車載装置を通して視聴されるテレビ番組やラジオ番組・データ放送・広告宣伝情報などの他、車輌内で使用されるＤＶＤ・ＣＤ・ＭＤなど利用状況やカーナビや関連データの使用状況など関しての利用履歴の情報を含んで構成することができる。また一方の車輌情報は、給油状況・車検期間状況・累積走行距離・累積走行時間・累積経過時間・運転免許証更新時期・新車関連情報などの情報類を含んで構成することができる。
【００１２】
本発明による車載装置は記録媒体を備えているので、サービス利用履歴情報と車輌情報を含む情報類を記録保持することができる。記録媒体としてはフラッシュメモリ等の半導体記憶装置を用いるのがよいが、他の装置例えばＭＤ、ＭＯ、ＣＤ-Ｒなどであってもよい。
これらの情報類は、不揮発性の記録媒体によって装置内に常時記録保持されていても良いし、また、携帯電話機やＰＤＡなど外部の他の機器から必要に応じて通信手段を介して受信して取得してもよい。
【００１３】
図１による本発明による車載装置において、上記したサービス利用履歴情報は、サービス情報表示入力部５０を経由して、車載装置が備える記録媒体であるサービス利用履歴データベース４０に記録保持される。また同様に、上記した車輌情報も、車輌情報入力部７０を経由して、車載装置の記録媒体である車輌情報データベース６０に記録保持される。
【００１４】
これらのデータベース(４０と６０)に保管されているサービス利用履歴情報と車輌情報とは、装置内に記録保管されていて必要に応じて随時取り出して用いられるが、車載装置のサービス情報選択演算部３０においては、これら情報を含む様々な情報類の取捨選択を実行しており、本車載装置におけるサービス情報の処理と制御を担っている。また、このとき、時刻や時間に関する情報も組み合わせて利用されてもよい。
これにより選択または選別され、使用者らに提供される情報は、サービス情報表示部生成部２０を経由して、サービス表示部１０において情報の提供がなされる。これら情報が提供されるときは、装置が備える表示部において映像出力されてもよいし、また、スピーカなどを通して音や音声として出力されてもよい。映像と音声とは両方を用いても、また、いずれか一方を用いてもよい。
【００１５】
さらに、本発明の車載装置においては、サービス情報を提供するにあたり、使用者らに提供するサービス情報の優先度を動的に算出する優先算出手段を備えており、サービス情報選択演算部３０でこれを実行することができる。また、その結果は、装置内の記録媒体に記録保持することができる。このように、この優先算出手段は、多くの情報類の中から、使用者の嗜好をより反映したサービス情報を選び出すことができ、これにより、例えば、使用者らにとっては、データ放送による膨大な情報の中から、使用者らは必要なサービス情報を半自動で選択して表示させる機能を備えた車載装置を、得ることができる。さらにサービス情報を提供する側の者にとっても、使用者らの希望に添った情報がすばやく得られることとなり、より効率の高いサービス情報システムを実現することができる。
【００１６】
【発明の効果】
本発明の車載装置によれば、使用者らのサービス利用履歴情報と、車輌の状態に関わる車輌情報とを取得して、これらを記録保持する機能を有しており、装置に入力される情報類について、上記の記録保持された情報を基にして取捨選択を実施して、使用者らにサービス情報を提供することができる。よって、本発明の車載装置により、使用者らはニーズにあった的確な情報を得ることができ、また、サービスを提供する側の者にとっても需要の変動に追従した効率の高い情報を提供できるようになった。
【図面の簡単な説明】
【図１】本発明の車載装置におけるサービス情報提供にかかるシステム構成図である。
【図２】従来の車載装置におけるサービス情報提供にかかるシステム構成図である。
【符号の説明】
１０    サービス表示部
２０    サービス情報表示生成部
３０    サービス情報選択演算部
４０    サービス利用履歴データベース
５０    サービス情報表示入力部
６０    車輌情報データベース
７０    車輌情報入力部
【図１】
0003834498.tif 000002
【図２】
0003834498.tif 000003